(57)【要約】【課題】本発明は患者への導入時に外針と内針とが確実に固定され、かつ、従来の輸液ライン等をそのまま接続して使用できる留置針組立体を提供する【解決手段】生体組織に留置される外針２、前記外針２が先端部に固着された外針ハブ３、先端部に鋭利な針先４１を有する内針４、前記内針４が先端部に固着された内針ハブ５、前記内針ハブ５の先端部に接合して内針ハブ５の外部と内部を連通しうる側孔６１を形成しうる内針ハブカバー６、本体７１と前記本体７１の先端側に設けられた前記内針４の針先４１を保護しうる針先保護部７２とを有するプロテクター７、および前記外針ハブ３と前記針先保護部７２とを連結しうる連結具８からなり、前記プロテクター７の本体７１は前記側孔６１内に摺動可能に挿通され、前記針先保護部７２は前記内針４上に摺動可能に配置され、前記内針ハブカバー６は前記針先保護部７２の少なくとも一部を収容しうる形状を有してなる留置針組立体１である。【選択図】      図２
2004267323.tif 000002
【特許請求の範囲】
【請求項１】
生体組織に穿刺され留置される外針、前記外針が先端部に固着された外針ハブ、該外針の内腔に挿通可能であって先端部に鋭利な針先を有する内針、前記内針が先端部に固着された内針ハブ、前記内針ハブの先端部に接合して内針ハブの外部と内部を連通しうる側孔を形成しうる筒状の内針ハブカバー、細長い棒状の本体と前記本体の先端側に設けられた前記内針の針先を保護しうる針先保護部とを有するプロテクター、および前記外針ハブと前記針先保護部とを連結しうる連結具からなる留置針組立体であって、前記プロテクターの本体は前記側孔内に摺動可能に挿通され、前記針先保護部は前記内針上に摺動可能に配置され、前記内針ハブカバーは前記針先保護部の少なくとも一部を収容しうる形状を有してなる留置針組立体。
【請求項２】
前記連結具は、先端部が嵌合または螺合により前記外針ハブの基端部に接続され、基端部が嵌合または螺合により前記針先保護部の先端部に接続されてなる請求項１記載の留置針組立体。
【請求項３】
前記連結具は、両端に雌ねじ部を有してなり、先端側雌ねじ部が螺合により前記外針ハブの基端部に接続され、基端側雌ねじ部が螺合により前記針先保護部の先端部に接続されてなる請求項２記載の留置針組立体。
【請求項４】
前記連結具は、基端部が前記針先保護部の先端部に固着されてなる請求項１〜３のいずれかに記載の留置針組立体。
【請求項５】
前記留置針組立体は、前記針先保護部の少なくとも一部が内針ハブカバー内に配置される位置で前記プロテクターを位置決めしうる第一位置決め手段を備えてなる請求項１〜４のいずれかに記載の留置針組立体。
【請求項６】
前記第一位置決め手段は、前記内針ハブの先端部と、前記プロテクターの針先保護部との係合によるものである請求項５記載の留置針組立体。
【請求項７】
前記留置針組立体は、前記針先保護部が前記内針の針先を保護しうる位置で前記プロテクターを位置決めしうる第二位置決め手段を備えてなる請求項１〜６のいずれかに記載の留置針組立体。
【請求項８】
前記第二位置決め手段は、前記プロテクターの基端部と内針ハブカバーとの係合によるものである請求項７記載の留置針組立体。
【請求項９】
さらに、針先を保護するためのキャップを備えた請求項１〜８のいずれかに記載の留置針組立体。
【発明の詳細な説明】
【０００１】
【発明の属する技術分野】
本発明は、輸液等を行うために血管内に一時的に留置される留置針を含む留置針組立体に関する。より詳細には、生体組織に内針および外針を同時に穿刺し、外針を留置して該外針から内針を抜去した後、該内針を安全かつ容易に針ガード内に収納することができる留置針組立体に関する。
【０００２】
【従来の技術】
輸液などに用いられる留置針は、通常外針と内針からなる２重構造を有しており、使用に際しては、外針の内腔に内針が挿入された状態で血管に穿刺される。次いで、前記外針が所定位置まで挿入された後、前記内針は外針の内腔より抜き取られ、前記外針の基端部に輸液ラインなどが接続され、輸液や薬液などが血管中に導入される。したがって、前記外針は血管内を傷つけるおそれの少ない軟質樹脂製のものが、また前記内針は血管への穿刺が容易である金属製のものが一般に用いられる。
【０００３】
前記外針が患者の体内に留置された後、抜き取られた内針は廃棄されることになるが、医療従事者や患者等が誤って、その鋭利な針先に触れて傷を負う場合がある。また、前記針先が適当な方法で保護されたとしても、肝炎や後天性免疫不全症候群（エイズ）など血液により感染する疾病を有した患者に使用された内針は、針先に限らずそれ自身が疾病の感染媒体になりうる。
このため、患者に穿刺した内針を適正に処分することが極めて重要であるが、医療現場においては患者の処置が優先され、内針の廃棄は後回しにされることが多い。
【０００４】
近年、使用後の内針を直ちにかつ容易に廃棄するため、内針を収納可能な針ガードを有してなる留置針組立体が提案されている（例えば、特許文献１参照。）。前記留置針組立体は、内針を内挿した外針が患者に穿刺され、該外針を患者に留置した状態で内針が抜去された後、前記前記針ガードが先端側へ摺動することにより前記内針が該針ガード内に収納されるものである。また、内針ハブと針ガードの基端部との間にバネが配設され、押しボタン式のロック機構を解除すると、バネの力によって内針が針ガードの基端へと作動せしめられる留置針組立体も開発されている（例えば、特許文献２参照。）。
これらの留置針組立体は、片手で容易に操作されうるため、内針が抜去された後すぐに保護され、医療従事者が該内針の先端によって傷を負ったり、該内針に付着した血液により疾病に感染するおそれがない。しかし、いずれの留置針組立体も形状が大きいため操作しにくく、廃棄物量も極めて多くなる。また、押しボタン式のロック機構を設けた留置針組立体は、これを使用する者が誤って押しボタンを押してロックを解除してしまった場合、元に戻すことができないため、使用不能になるおそれがある。
【０００５】
一方、上記問題点を解決しうる針組立体として、針先端を保護しうる針ガードが針に沿って移動しうるコンパクトな針組立体が提案されている（例えば、特許文献３参照。）。前記針組立体は、針ハブとハブカバーとにより形成される側孔にプロテクターが挿通させられ、プロテクター先端に設けられた針先保護部が針上を摺動して針先端を保護する構造を有してなる。
しかしながら、前記針組立体は主として注射針への適応を考慮したものであるため、このままの形状では留置針に適応させることはできない。留置針組立体は外針の内腔に内針が挿入された状態で血管に穿刺されるものであるが、前記針組立体をそのままの構造で留置針に用いた場合、針上に配置された針先保護部が外針と内針との確実な固定を妨げ、留置針組立体としての操作性が悪くなる。また外針ハブの構造を、針先保護部の存在にかかわらず内針に確実に固定されるように変更した場合、従来の外針ハブに接続されていた輸液ラインや輸血ラインを接続することができなくなる。
【０００６】
【特許文献１】
特開平３−６３０６６号公報
【特許文献２】
特開平８−２１５３１５号公報
【特許文献３】
特開２００３−３３４３５号公報
【０００７】
【発明が解決しようとする課題】
上記事情に鑑み、本発明は患者への導入時に外針と内針とが確実に固定され、かつ、従来の輸液ライン等をそのまま接続して使用できる留置針組立体を提供することを課題とする。
【０００８】
【課題を解決するための手段】
本発明者らは、上記課題を解決するために種々鋭意検討した結果、外針ハブとプロテクターの針先保護部とを直接連結しうる連結具を用い、操作時に適宜連結を解除することにより、外針と内針の固定が確実で、かつ、従来の輸液ライン等をそのまま接続して使用できる留置針組立体が得られることを見出し、本発明に到達した。
【０００９】
すなわち、本発明は、
（１）  生体組織に穿刺され留置される外針、前記外針が先端部に固着された外針ハブ、該外針の内腔に挿通可能であって先端部に鋭利な針先を有する内針、前記内針が先端部に固着された内針ハブ、前記内針ハブの先端部に接合して内針ハブの外部と内部を連通しうる側孔を形成しうる筒状の内針ハブカバー、細長い棒状の本体と前記本体の先端側に設けられた前記内針の針先を保護しうる針先保護部とを有するプロテクター、および前記外針ハブと前記針先保護部とを連結しうる連結具からなる留置針組立体であって、前記プロテクターの本体は前記側孔内に摺動可能に挿通され、前記針先保護部は前記内針上に摺動可能に配置され、前記内針ハブカバーは前記針先保護部の少なくとも一部を収容しうる形状を有してなる留置針組立体、
（２）  前記連結具は、先端部が嵌合または螺合により前記外針ハブの基端部に接続され、基端部が嵌合または螺合により前記針先保護部の先端部に接続されてなる前記（１）記載の留置針組立体、
（３）  前記連結具は、両端に雌ねじ部を有してなり、先端側雌ねじ部が螺合により前記外針ハブの基端部に接続され、基端側雌ねじ部が螺合により前記針先保護部の先端部に接続されてなる前記（２）記載の留置針組立体、
（４）  前記連結具は、基端部が前記針先保護部の先端部に固着されてなる前記（１）〜（３）のいずれかに記載の留置針組立体、
（５）  前記留置針組立体は、前記針先保護部の少なくとも一部が内針ハブカバー内に配置される位置で前記プロテクターを位置決めしうる第一位置決め手段を備えてなる前記（１）〜（４）のいずれかに記載の留置針組立体、
（６）  前記第一位置決め手段は、前記内針ハブの先端部と、前記プロテクターの針先保護部との係合によるものである前記（５）記載の留置針組立体、
（７）  前記留置針組立体は、前記針先保護部が前記内針の針先を保護しうる位置で前記プロテクターを位置決めしうる第二位置決め手段を備えてなる前記（１）〜（６）のいずれかに記載の留置針組立体、
（８）  前記第二位置決め手段は、前記プロテクターの基端部と内針ハブカバーとの係合によるものである前記（７）記載の留置針組立体、
（９）  さらに、針先を保護するためのキャップを備えた前記（１）〜（８）のいずれかに記載の留置針組立体
に関する。
【００１０】
【発明の実施の形態】
以下に、本発明の留置針組立体を添付図面に示す好適な実施例に基づいて詳細に説明するが、本発明はこれらの説明に限定されるものではない。
図１は本発明の留置針組立体の一実施例において、針先保護前の状態を示す上部側面図であり、図２は図１に示される留置針組立体のＡ−Ａ線断面図、図３は図２に示される留置針組立体のＢ−Ｂ線断面図である。図４は図２に示される留置針組立体の、針先保護後の状態を示す縦断面図であり、図５は図２に示される留置針組立体の、患者の体内に留置される部分を示す縦断面図である。また、図６は本発明の留置針組立体の他の実施例において、針先保護前の状態を示す上部側面図である。
図１および図２に示されるように、本発明の留置針組立体１は、外針２が先端部に固着された外針ハブ３と、内針４が先端部に固着された内針ハブ５と、内針ハブ５の先端部に接合しうる内針ハブカバー６と、内針４の針先４１を保護しうるプロテクター７と、外針ハブ３とプロテクター７とを連結しうる連結具８とを有している。
本発明の針組立体において、先端とは患者等に穿刺する側の端（図中、右端）を、基端とは先端の反対側の端（図中、左端）を指す。
【００１１】
外針２は中空の管であり、その先端部は刺通抵抗を低くするために、先端側にむかって外径が減少するテーパー状に形成されていることが好ましい。前記外針２は、患者の体内に挿入された後しばらく留置されるため、患者を傷つけるおそれの少ない軟質樹脂で形成されていることが好ましい。前記軟質樹脂としては、具体的には、エチレン−テトラフルオロエチレン共重合体、ポリウレタン、ポリエーテルナイロン樹脂等があげられる。
前記外針２は、患者の体内に留置されている間に患者が動いたりすることによって裂断される場合がある。このような場合に、裂断された外針２の破片を探知するために、該外針２の材料中に硫酸バリウム等のＸ線造影剤を配合させて、該外針２に造影機能を持たせることも可能である。
また、前記外針２は、液採取あるいは液導入時の液流量を確保するために、先端部に１つ以上のサイドホール２１が設けられていてもよい。
【００１２】
前記外針２の基端部には外針ハブ３が固着されている。その固着方法としては、カシメピンによりかしめて固定する方法の他、接着剤による接着や、熱による融着などがあげられる。
前記外針ハブ３は中空の管体であり、基端部は基端側に向かって内径が増加するテーパー状に形成されていることが好ましい。該テーパー形状によって、該外針ハブ３の基端部には輸液セットのチューブ等が確実に接続されうる。また、該外針ハブ３の基端部外周には、シリンジや輸液セットのチューブ等のロックタイプのルアーテーパー部に接続するための突起３１が設けられていてもよい。
前記外針ハブ３の材質としては、ポリエチレン、ポリプロピレン、エチレン−酢酸ビニル共重合体等のポリオレフィン、ポリ塩化ビニル、ポリブタジエン、ポリアミド、ポリエステル等の硬質樹脂が用いられる。
また、外針ハブ３は輸液操作や輸血操作に必要な公知の部品、例えば図５に示されるような内針４が抜去された状態において、外針２内に浸入してきた血液の漏洩を防止するためのクランプチューブ３２や疎水性フィルターなどが設けられていてもよい。さらに、不使用時に机上に戴置した場合などに転がりを防止しうるように、あるいは医療従事者が把持しやすいように、外周面上にリブ３３などが設けられていてもよい。
【００１３】
本発明に用いられる内針４は、前記外針２の内腔に挿通可能な中空の管であり、その先端部には鋭利な針先４１が形成されており、該針先４１は刺通抵抗を低くするために傾斜した刃面を有している。前記内針４は、前記外針２内に挿入された状態で患者に穿刺されるため、該外針２に内挿された時に前記針先４１が該外針２の先端側から突出する長さを有している必要がある。該内針４の材質としては、ステンレス鋼、アルミニウム、チタン、あるいはこれらの合金等の金属材料があげられる。
【００１４】
前記内針４の基端部には内針ハブ５が固着されている。その固着方法としては、接着剤による接着や、熱による融着等があげられる。該内針ハブ５は、該内針４の内部と連通する内腔を有する中空の管体である。
該内針ハブ５の基端部は、基端側に向かって内径が増加するテーパー状に形成されていることが好ましい。このテーパー形状によって、該内針ハブ５の基端部には、採血用のシリンジ等を確実に接続することができる。また前記針先４１が患者の血管に穿刺されたとき、前記内針４内部に浸入した血液は該内針ハブ５内に到達する。したがって、本発明の留置針組立体は該内針ハブ５内に浸入した血液が該内針ハブ５の基端部から漏出することを防止するために、該内針ハブ５の基端部にフィルター５１を有する部材５２が接続された状態で使用されることが好ましい。
前記内針ハブ５の材質としては、ポリカーボネート、アクリロニトリル−ブタジエン−スチレン共重合体、ポリスチレン、ポリエチレン、ポリプロピレン等の硬質材料が好ましく用いられる。
【００１５】
前記内針ハブ５先端部には、先端から基端へ貫通した中空の管体である内針ハブカバー６が外挿されている。前記内針ハブ５および内針ハブカバー６は、互いに接合して内針ハブ５の外部と内部とを連通しうる側孔６１が形成される形状を有している。前記内針ハブ５と内針ハブカバー６の接合方法としては、エポキシ樹脂、ＵＶ硬化接着剤等による接着、或いは超音波溶着による溶着等があげられる。前記内針ハブ５および内針ハブカバー６は一体成形されたものであってもよく、その場合側孔６１が、切削等により作成されるか、あるいは、内針ハブカバー６の一部が開閉可能であるように、ヒンジ等が形成される。
前記内針ハブカバー６の外周には、留置針組立体１使用前に内針４および針先４１を保護するために該内針４および針先４１に被せられるキャップ（図示せず）を固定するために、図３に示されるような複数個のリブ６２が設けられていてもよい。
前記内針ハブカバー６の材質としては、内針ハブ５と同様の硬質材料が好ましく用いられる。
【００１６】
本発明の留置針組立体１の構成要件の一つであるプロテクター７は、細長い棒状の本体７１を有しており、適度に柔軟な材料から形成される。該材料は、具体的には、ポリプロピレン、ポリカーボネート、アクリロニトリル−ブタジエン−スチレン共重合体、ポリスチレン、ポリエチレン、ポリアセタール等である。該プロテクター本体７１は、前記内針ハブ５と内針ハブカバー６の接合により形成される側孔６１内に挿通され、先端側または基端側へ摺動されうるように配置される。
該プロテクター本体７１の断面形状は特に限定されないが、前記側孔６１内に挿通されて摺動される際の摩擦を最小限にするために、該側孔６１の形状に即したものであることが好ましい。例えば、側孔６１の形状が四角形である場合は、プロテクター本体７１の断面形状も四角形、あるいは長方形の平板状のものであることが好ましい。
【００１７】
前記内針ハブ５と内針ハブカバー６の接合の一例が、図３に詳細に示される。前記内針ハブ５はその外周に放射状に配置される４つのリブ５３を有している。該リブ５３は内針ハブ５が前記内針ハブカバー６内に挿入されたときに、該リブ５３が内針ハブカバー６の内壁面に接する大きさに形成されており、該リブ５３が内針ハブカバー６と接合されることによって該内針ハブ５と内針ハブカバー６は一体となる。図３に示されるように、前記内針ハブカバー６の内腔が前記リブ５３により４つの通路に分断される場合、後述するプロテクター本体７１は分断された通路の一つに配置されることになる。
このとき、該プロテクター本体７１の断面形状は、分断された通路の断面形状と相似した形状であることがより好ましい。
【００１８】
前記プロテクター本体７１の先端側には、該内針４の針先４１を収納可能な針先保護部７２が形成されている。該針先保護部７２は、中空筒状で、少なくとも一部が前記内針ハブカバー６の内腔に収容されうる形状を有している。該針先保護部７２は、該プロテクター本体７１が側孔６１内を摺動するのに応じて、前記内針４上を先端側または基端側へ摺動しうるが、該針先保護部７２の基端側への摺動は、該針先保護部７２の基端部が前記内針ハブ５の先端部に当接することにより停止される。該針先保護部７２は、前記プロテクター本体７１と一体成形されても良いし、該プロテクター本体７１とは別に成形された後に、該プロテクター本体７１と接着あるいは溶着されてもよい。
【００１９】
本発明の留置針組立体１は、さらに前記外針ハブ３と前記針先保護部７２とを連結しうる連結具８を有してなる。該連結具８は先端部が該外針ハブ３と接続され、基端部が針先保護部７２と接続される構造を有している。前記接続は、嵌合または螺合であることが好ましい。該連結具８の好ましい構造の一例は、図２に示されるように、先端部に雌ねじ部８１が形成され、基端部に雌ねじ部８２が形成された構造である。図２に示される連結具８においては、先端部に設けられた雌ねじ部８１が該外針ハブ３の基端部に設けられた突起３１と螺合し、基端部に設けられた雌ねじ部８１が該針先保護部７２の先端部に設けられた突部７３と螺合しうる。また該連結具８の好ましい構造の他の例は、図６に示されるように、先端部に係合爪８３が形成された構造である。
前記連結具８の先端部は、前記外針ハブ３と脱着可能に接続される必要があるが、基端部と前記針先保護部７２との接続は脱着可能である必要はなく、図６に示されるように、該連結具８と該針先保護部７２とが接着や溶着などにより固着されていてもよい。
【００２０】
前記連結具８は、図５に示される内針４が抜去された状態において、血液の漏洩を防止するための疎水性フィルター８４が予め内設されていてもよい。該疎水性フィルターは、空気は透過させるが血液は透過させないものであり、具体的には、ポリプロピレン、ポリスチレン、ポリメチルメタクリレート等の合成樹脂製の焼結フィルターや不織布等が好ましく用いられる。
該疎水性フィルター８４が内設された連結具８は、基端部が前記針先保護部７２に固着されていると、内針４抜去時に針先保護部７２とともに該疎水性フィルター８４が外針ハブ３から取り外されてしまうため、外針２内に浸入した血液の漏洩を防止することができないため好ましくない。しかし、図６に示されるように、前記連結具８が、先端部に雌ねじ部８１を有し基端部に疎水性フィルター８４を設けた第一連結具８５と、先端部に係合爪８３を有し基端部が針先保護部７２に固着された第二連結具８６の二部品から形成されるものであれば、血液漏洩の問題は生じない。図６に示される連結具８においては、第二連結具８６の先端部に設けられる係合爪８３は、第一連結具８５の先端部に直接、脱着可能に嵌合しうる。
【００２１】
前記プロテクター７は、留置針組立体１使用前および使用中、つまり前記針先４１が保護されていない状態においては、図１および図２に示されるように、前記針先保護部７２の少なくとも一部が前記内針ハブカバー６内に配置される。一方、留置針組立体１使用後、該プロテクター７は留置針組立体１を保持している医療従事者の指で押されて先端側へと摺動し、図４に示されるように、前記針先保護部７２により前記針先４１は保護される。
【００２２】
前記留置針組立体１には、前記プロテクター７を、針先４１が保護されていない位置、すなわち図２に示されるように前記針先保護部７２の少なくとも一部が内針ハブカバー６内に配置される位置で位置決めするための、第一位置決め手段が備えられることが好ましい。該第一位置決め手段は、該針先保護部７２の先端側への移動を防止しうるものである。
前記第一位置決め手段は、例えば図２に示されるように、内針ハブ５の先端部と針先保護部７２との嵌合または係合によるものである。この場合、該内針ハブ５の先端部の外径は該針先保護部７２の内径よりも小さく、該針先保護部７２の基端部が該内針ハブ５の先端部に外挿された状態であることが好ましい。該内針ハブ５と針先保護部７２との係合の具体例としては、内針ハブ５の先端部外周面に設けられた凸部または凹部と、該針先保護部７２の基端部内周面に設けられた凹部または凸部との係合があげられる。
【００２３】
また、前記留置針組立体１には、前記プロテクター７を、針先４１が保護される位置で位置決めするための、第二位置決め手段が備えられることが好ましい。該第二位置決め手段は、該プロテクター７の先端側および基端側への移動を防止しうるものであり、例えば該プロテクター７の基端部と該内針ハブカバー６との係合によるものである。
該第二位置決め手段のうち、該プロテクター７の先端側への移動を防止しうるものとしては、例えば図４に示されるように、該プロテクター７の基端部に設けられた係合アーム７４と前記内針ハブカバー６の側孔６１を形成する部分との係合によるものであってもよい。該プロテクター７の基端部が側孔６１を通過できない程度に十分に大きい場合は、特別に前記係合アーム７４が設けられなくとも、該プロテクター７の先端側への移動を防止する機能を果たしうる。
一方、該第二位置決め手段のうち、該プロテクター７の基端側への移動を防止しうるものとしては、例えば、図４に示すように、該プロテクター７の係合アーム７４の先端部に内方向に向けて設けられた突起７５と内針ハブカバー６の先端部との係合によるものであってもよい。
【００２４】
また、前記プロテクター７が前記第二位置決め手段により、針先４１が保護される位置で位置決めされている場合、前記プロテクター７の針先保護部７２の先端部内周面に突起７６が設けられていれば、該突起７６が針先４１と係合することにより該針先４１が該針先保護部７２の先端側へ突出することを防止できてより好ましい。また、プロテクター本体７１に、図４に示すように外方へ反る屈曲部７７、あるいは緩やかにカーブした湾曲部（図示せず）が設けられている場合、前記突起７６と針先４１との係合はより確実になり好ましい。
【００２５】
図１および図２に示される留置針組立体１の組み立て方法としては、まず、内針ハブ５の先端部に固着された内針４の針先４１が、プロテクター７の針先保護部７２の内腔に基端側から挿通され、該針先保護部７２が該内針ハブ５の先端部に外挿される。次に、前記内針４の針先４１が内針ハブカバー６内に挿通され、該内針ハブカバー６が前記内針ハブ５と接合するまで基端側に移動させられ、側孔６１を形成した状態で該針先保護部７２上に配置される。一方、外針ハブ３の基端部は、予め連結具８の先端部と接続される。前記内針４の針先４１は、該連結具８および該外針ハブ３内を通って外針２内に挿通され、該針先４１が該外針２の先端から突出するまで先端側へ移動させられる。その後、前記連結具８の基端部が前記針先保護部７２の先端部と接続されて、留置針組立体１の組み立てが完了する。このとき、該プロテクター７は、前記第一位置決め手段により、該針先保護部７２の少なくとも一部が該内針ハブカバー６内に配置される位置で位置決めされるため、該プロテクター７の先端側への移動が防止される。
【００２６】
図１および図２に示される留置針組立体１の使用方法としては、まず前記組み立て方法により組み立てられた留置針組立体１が、内針４の針先４１が外針２の先端部から突出した状態で患者の血管に穿刺される。該外針２が血管内の所定の位置に配置された後、連結具８の基端部と針先保護部７２との接続が解除され、該外針２内から該内針４が抜去され、該外針２は図５に示される状態で患者に留置される。該外針４から抜去された内針４は、プロテクター７が先端側へと摺動させられ、図４に示されるように該針先４１が該針先保護部７２内に収納される。患者に留置された外針２は、該連結具８の先端部と外針ハブ３の基端部との接続が解除され、所望のラインが該外針ハブ３の基端部に接続されて使用される。一方、図６に示される留置針組立体１の使用方法としては、内針４の針先４１が外針２の先端部から突出した状態で患者の血管に穿刺され、該外針２が血管内の所定の位置に配置された後、第二連結具８６の先端部と第一連結具８との接続が解除され、該外針２内から該内針４が抜去される。該外針４から抜去された内針４は、プロテクター７が該第二連結具８６と共に先端側へと摺動させられ、針先４１針先保護部７２内に収納される。患者に留置された外針２は、該第一連結具８の先端部と外針ハブ３の基端部との接続が解除され、所望のラインが該外針ハブ３の基端部に接続されて使用される。
【００２７】
本発明の留置針組立体１は、図１、図２および図６に示されるような針先４１が保護されていない状態で販売される場合、該針先４１を保護しうるキャップ（図示せず）を備えたものであることが好ましい。使用時には、該留置針組立体１は、該キャップが取り除かれて使用される。
【００２８】
【発明の効果】
本発明の留置針組立体は、外針ハブとプロテクターの針先保護部とを直接連結しうる連結具を用いたことにより、外針と内針との固定が確実になり、留置針組立体の操作に影響を及ぼすおそれがない。また本発明の留置針組立体は、内針と外針の固定を確実にするために外針ハブの形状を変更する必要がないため、従来の輸液ライン等をそのまま接続して使用することができる。
【図面の簡単な説明】
【図１】本発明の留置針組立体の一実施例において、針先保護前の状態を示す上部側面図である。
【図２】図１に示される留置針組立体のＡ−Ａ線断面図である。
【図３】図２に示される留置針組立体のＢ−Ｂ線断面図である。
【図４】図２に示される留置針組立体の、針先保護後の状態を示す縦断面図である。
【図５】図２に示される留置針組立体の、患者の体内に留置される部分を示す縦断面図である。
【図６】本発明の留置針組立体の他の実施例において、針先保護前の状態を示す上部側面図である。
【符号の説明】
１  留置針組立体
２  外針
３  外針ハブ
４  内針
４１  針先
５  内針ハブ
６  内針ハブカバー
６１  側孔
７  プロテクター
７１  プロテクター本体
７２  針先保護部
８  連結具
【図１】
2004267323.tif 000003
【図２】
2004267323.tif 000004
【図３】
2004267323.tif 000005
【図４】
2004267323.tif 000006
【図５】
2004267323.tif 000007
【図６】
2004267323.tif 000008